(57)【特許請求の範囲】
【請求項１】
アンテナベースと、
前記アンテナベースに対して固定された、光透過部を有する外装ケースと、
前記アンテナベースと前記外装ケースとの間の空間に設けられた発光モジュールと、
前記空間に設けられたアンテナ素子とを備え、
前記発光モジュールは、発光素子と、前記発光素子が発した光を導く導光部とを含み、
前記アンテナ素子の少なくとも一部が前記外装ケースの前記光透過部と対向し、
前記導光部が、前記外装ケースの前記光透過部と対向する前記アンテナ素子と前記光透過部との相互対向面間に延びている、車載用アンテナ装置。
【請求項２】
アンテナベースと、
前記アンテナベースに対して固定された、光透過部を有する外装ケースと、
前記アンテナベースと前記外装ケースとの間の空間に設けられた発光モジュールと、
前記空間に設けられたアンテナ素子と、
前記アンテナベースに固定され、前記アンテナ素子を自身の外面に支持するインナーケースと、
前記アンテナベースと前記インナーケースとの間を水密封止する第１の水密封止材と、
前記アンテナベースと前記インナーケースとの間の空間に配置されたアンテナ基板とを備え、
前記発光モジュールは、発光素子と、前記発光素子が発した光を導く導光部とを含み、
前記インナーケースは、前記アンテナベースとの間に形成した空間に連通する少なくとも１つの開口部を有し、
前記発光モジュールが、第２の水密封止材を挟んで前記開口部に取り付けられて前記開口部を水密に塞いでいる、車載用アンテナ装置。
【請求項３】
前記発光モジュールは、前記アンテナ基板と電気的に接続される給電端子部を有する、請求項２に記載の車載用アンテナ装置。
【請求項４】
前記アンテナ素子が前記空間内の上部に設けられ、前記発光素子が前記アンテナ素子の側方に設けられている、請求項１から３のいずれか一項に記載の車載用アンテナ装置。
【請求項５】
前記アンテナ素子は、少なくとも前記光透過部と対向する部分が光沢処理されている、請求項１から４のいずれか一項に記載の車載用アンテナ装置。
【請求項６】
前記導光部の前記アンテナ素子側の面に乱反射用パターンが設けられている、請求項１から５のいずれか一項に記載の車載用アンテナ装置。
【請求項７】
前記アンテナ素子は、面状部を有する、請求項１から６のいずれか一項に記載の車載用アンテナ装置。
【発明の詳細な説明】
【技術分野】
【０００１】
本発明は、車両のルーフ等に取り付けられる車載用アンテナ装置に関する。
【背景技術】
【０００２】
近年、シャークフィンアンテナと呼ばれる車載用アンテナ装置が開発されている（下記特許文献１）。アンテナとしての基本機能に加え、発光機能を持つシャークフィンアンテナも知られている（下記特許文献２）。
【先行技術文献】
【特許文献】
【０００３】
【特許文献１】特開2010-21856号公報
【特許文献２】特開2014-80094号公報
【発明の概要】
【発明が解決しようとする課題】
【０００４】
特許文献２は、アンテナ素子よりも下方に発光体を設けることで、アンテナ素子の特性を維持しながらアンテナ装置の視認性を向上させるとしているが、発光体の発した光がケース内で拡散ないし吸収されやすく、アンテナ装置としての発光効率の点で改善の余地があった。
【０００５】
本発明はこうした状況を認識してなされたものであり、その目的は、従来と比較して高効率での発光が可能な車載用アンテナ装置を提供することにある。
【課題を解決するための手段】
【０００６】
本発明のある態様は、車載用アンテナ装置である。この車載用アンテナ装置は、
アンテナベースと、
前記アンテナベースに対して固定された、光透過部を有する外装ケースと、
前記アンテナベースと前記外装ケースとの間の空間に設けられた発光モジュールと、
前記空間に設けられたアンテナ素子とを備え、
前記発光モジュールは、発光素子と、前記発光素子が発した光を導く導光部とを含み、
前記アンテナ素子の少なくとも一部が前記外装ケースの前記光透過部と対向し、
前記導光部が、前記外装ケースの前記光透過部と対向する前記アンテナ素子と前記光透過部との相互対向面間に延びている。
【０００７】
本発明のもう１つの態様は、車載用アンテナ装置である。この車載用アンテナ装置は、
アンテナベースと、
前記アンテナベースに対して固定された、光透過部を有する外装ケースと、
前記アンテナベースと前記外装ケースとの間の空間に設けられた発光モジュールと、
前記空間に設けられたアンテナ素子と、
前記アンテナベースに固定され、前記アンテナ素子を自身の外面に支持するインナーケースと、
前記アンテナベースと前記インナーケースとの間を水密封止する第１の水密封止材と、
前記アンテナベースと前記インナーケースとの間の空間に配置されたアンテナ基板とを備え、
前記発光モジュールは、発光素子と、前記発光素子が発した光を導く導光部とを含み、
前記インナーケースは、前記アンテナベースとの間に形成した空間に連通する少なくとも１つの開口部を有し、
前記発光モジュールが、第２の水密封止材を挟んで前記開口部に取り付けられて前記開口部を水密に塞いでいる。
前記発光モジュールは、前記アンテナ基板と電気的に接続される給電端子部を有してもよい。
前記アンテナ素子が前記空間内の上部に設けられ、前記発光素子が前記アンテナ素子の側方に設けられていてもよい。
【０００８】
前記アンテナ素子は、少なくとも前記光透過部と対向する部分が光沢処理されていてもよい。
【０００９】
前記導光部の前記アンテナ素子側の面に乱反射用パターンが設けられていてもよい。
前記アンテナ素子は、面状部を有してもよい。
【００１２】
なお、以上の構成要素の任意の組合せ、本発明の表現を方法やシステムなどの間で変換したものもまた、本発明の態様として有効である。
【発明の効果】
【００１３】
本発明によれば、従来と比較して高効率での発光が可能な車載用アンテナ装置を提供することができる。
【図面の簡単な説明】
【００１４】
【図１】本発明の参考例１に係るアンテナ装置の分解斜視図。
【図２】図１とは異なる方向から見た前記アンテナ装置の分解斜視図。
【図３】前記アンテナ装置における、インナーケース６の第１の機能追加用開口部６ｄに対する防水蓋４の装着説明図。
【図４】インナーケース６の第１の機能追加用開口部６ｄに防水蓋４を装着した状態の斜視図（外装ケース１及び隙間埋めパッド２の図示を省略した前記アンテナ装置の斜視図）。
【図５】前記アンテナ装置の側断面図。
【図６】図５の前部拡大図。
【図７】図５の後部拡大図。
【図８】図５のＡ−Ａ断面図。
【図９】本発明の実施の形態１に係るアンテナ装置の第１の分解斜視図。
【図１０】前記アンテナ装置の第２の分解斜視図。
【図１１】前記アンテナ装置における、発光モジュール１８及び防水パッキン５の分解斜視図。
【図１２】発光モジュール１８及び防水パッキン５の組合せ体の、導光体１９及び防水パッキン５を半分に切断した状態の斜視図。
【図１３】前記アンテナ装置の側断面図。
【図１４】導光体１９を通る光の伝搬説明図。
【図１５】本発明の実施の形態２に係るアンテナ装置の第１の分解斜視図。
【図１６】前記アンテナ装置の第２の分解斜視図。
【図１７】前記アンテナ装置の発光モジュール２５の底断面図。
【図１８】前記アンテナ装置における、導光体２６を通る光の伝搬説明図。
【図１９】本発明の参考例２に係るアンテナ装置の第１の分解斜視図。
【図２０】図１９とは異なる方向から見た前記アンテナ装置の第１の分解斜視図。
【図２１】前記アンテナ装置の第２の分解斜視図。
【図２２】図２１とは異なる方向から見た前記アンテナ装置の第２の分解斜視図。
【図２３】前記アンテナ装置の側断面図。
【発明を実施するための形態】
【００１５】
以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００１６】
本発明は発光モジュールを備えるアンテナ装置であるが、ここでは、まず発光モジュールを有さないアンテナ装置を参考例として説明し、その後に発光モジュールを有するアンテナ装置の実施の形態を説明する。
【００１７】
参考例１
図１は、本発明の参考例１に係るアンテナ装置の分解斜視図である。図２は、図１とは異なる方向から見た前記アンテナ装置の分解斜視図である。図３は、前記アンテナ装置における、インナーケース６の第１の機能追加用開口部６ｄに対する防水蓋４の装着説明図である。図４は、インナーケース６の第１の機能追加用開口部６ｄに防水蓋４を装着した状態の斜視図（外装ケース１及び隙間埋めパッド２の図示を省略した前記アンテナ装置の斜視図）である。図５は、前記アンテナ装置の側断面図である。図６は、図５の前部拡大図である。図７は、図５の後部拡大図である。図８は、図５のＡ−Ａ断面図である。
【００１８】
本参考例のアンテナ装置は、車載用であり、車両のルーフ等に取り付けられる。外装ケース１は、電波透過性の合成樹脂製（ＰＣやＰＥＴ等の樹脂製の成型品）であり、両側面が内側に湾曲したシャークフィン形状とされている。図５に示すように、外装ケース１は、アンテナベース１０への取付用の所定数の係止爪１ａを有する。隙間埋めパッド２は、エラストマーやゴム等で形成された環状の弾性部材であり、図５に示すように外装ケース１の下端内周縁部に嵌入され、外装ケース１の下端周縁と車体との間の隙間の目隠しとして機能する。
【００１９】
アンテナ素子の例示である容量エレメント３は、ステンレス等の金属板（導体板）を加工して形成され、少なくとも一部に面状部３ｂを備える。容量エレメント３は、例えば傘型（断面形状がコの字型、Ｕ字型、あるいはＶ字型等）に形成され、外装ケース１とアンテナベース１０との間の空間内の上部に設けられる。容量エレメント３は、インナーケース６への係止用の所定数の係止穴３ｂと、インナーケース６への固定用のネジ３ｄを通すためのネジ止め用貫通穴３ｃとを有する。
【００２０】
インナーケース６は、電波透過性の合成樹脂製（ＡＢＳ樹脂等の樹脂製の成型品）であり、容量エレメント３の面状部３ａに沿う形状の容量エレメント支持部６ａに容量エレメント３を支持し、また内部には図５に示すようにアンテナ素子の例示であるコイルエレメント１３を支持する。容量エレメント３及びコイルエレメント１３により、ＡＭ／ＦＭ放送の受信が可能となる。インナーケース６は、容量エレメント３の係止穴３ｂと係合して容量エレメント３を係止するための所定数の係止凸部６ｂを有する。インナーケース６には、容量エレメント３とコイルエレメント１３との電気的接続を行う導体パイプ（金属パイプ）６ｃが、インサート成形や圧入等により設けられる。導体パイプ６ｃの内周面には雌ネジが形成される。導電性材料からなるネジ３ｄは、容量エレメント３のネジ止め用貫通穴３ｃを貫通して導体パイプ６ｃに上方から螺合し、容量エレメント３をインナーケース６に固定する。防水パッキン６ｉ（図５）は、エラストマーやゴム等の環状の弾性部材であり、容量エレメント３とインナーケース６との結合部を水密封止する。導電性材料からなるネジ１３ｃは、コイルエレメント１３のアッパーターミナル１３ａを貫通して導体パイプ６ｃに下方から螺合し、アッパーターミナル１３ａをインナーケース６に固定する。これにより、コイルエレメント１３のアッパーターミナル１３ａ、導体パイプ６ｃ、及び容量エレメント３が相互に導通する。
【００２１】
インナーケース６は、第１の機能追加用開口部６ｄと、一対の係止穴６ｅと、ガイド凸部６ｆ,６ｇとを有する。第１の機能追加用開口部６ｄには、発光モジュール等の付加ユニットを取付け可能であるが、本参考例は機能追加を行わないため防水蓋４を第１の機能追加用開口部６ｄに取り付ける。防水蓋４は、電波透過性の合成樹脂製（ＰＣやＰＥＴ等の樹脂製の成型品）であり、第１の機能追加用開口部６ｄへの取付用の一対のスナップフィット４ａと、第１の機能追加用開口部６ｄへの取付時のガイドとなるガイド用凹部４ｂ,４ｃとを有する。インナーケース６の一対の係止穴６ｅは、第１の機能追加用開口部６ｄの左右両側にそれぞれ設けられ、防水蓋４の一対のスナップフィット４ａと係合して防水蓋４を係止する。インナーケース６のガイド凸部６ｆ,６ｇは、防水蓋４のガイド用凹部４ｂ,４ｃと係合し、防水蓋４の取付時のガイドとして機能するとともに、防水蓋４のがたつきを防止する。第２の水密封止材の例示である防水パッキン５は、エラストマーやゴム等で形成された環状の弾性部材であり、第１の機能追加用開口部６ｄの内面の段差部６ｊ上に位置して防水蓋４の開口部６ｄに入り込んだ部分の外側面と第１の機能追加用開口部６ｄの内側面とに押圧され、防水蓋４と第１の機能追加用開口部６ｄとの間を水密封止する。すなわち、防水蓋４と防水パッキン５が第１の機能追加用開口部６ｄを水密に塞ぐ。
【００２２】
インナーケース６は、第２の機能追加用開口部６ｈ（図２）を有する。第２の機能追加用開口部６ｈには、防水栓（防水グロメット）７が取り付けられる。防水栓７は、第２の機能追加用開口部６ｈと嵌合する凹部７ａを外周面に有し、第２の機能追加用開口部６ｈを水密封止する。防水栓７は、カメラモジュール等の付加ユニットを設ける場合には、付加ユニットのケーブルを、薄肉部７ｂを破って貫通させることができる。これについては参考例２（図１９〜図２３）で説明する。防水栓７は、把手部７ｃ（図５）を有し、インナーケース６の内側から把手部７ｃを引っ張ることで第２の機能追加用開口部６ｈに取り付けられる。
【００２３】
第１の水密封止材としての防水パッド８は、エラストマーやゴム等の環状の弾性部材であり、アンテナベース１０上に設けられる。防水パッド８は、図５に示すように、アンテナベース１０にネジ止め等で固定されたインナーケース６の下端部によって全周に渡って押圧され、アンテナベース１０とインナーケース６との間を水密封止する。前述のようにインナーケース６の第１の機能追加用開口部６ｄ及び第２の機能追加用開口部６ｈは水密封止され、また後述のようにアンテナベース１０と車体との間はシール部材１５によって水密封止されるため、アンテナベース１０とインナーケース６との間には、水密な空間が形成される。
【００２４】
アンテナ基板９は、アンテナベース１０上にネジ止め等により固定され、アンテナベース１０とインナーケース６との間の空間に位置する。アンテナ基板９上には、コイルエレメント１３のロアターミナル１３ｂを挟み込む一対の導体板バネ（ターミナル）９ａと、一対の追加機能用電極９ｂとが設けられる。追加機能用電極９ｂは、第１の機能追加用開口部６ｄに付加ユニットを取り付ける場合には、付加ユニットの端子部との電気的接続に用いることができる。これについては実施の形態１（図９〜図１４）で説明する。
【００２５】
アンテナベース１０は、例えばアルミ等の金属製ベース及びＰＢＴ等の樹脂製ベースの組合せ体（複合体）である。アンテナベース１０は、外装ケース１の係止爪１ａと係合して外装ケース１を係止する所定数の係止爪１０ａを外周部に有する。図５に示すように、アンテナ基板９に接続されたケーブル１４は、アンテナベース１０の開口を通ってアンテナベース１０の下方に延びる。車体取付用ネジ１１は、図５に示すワッシャー１２を介してアンテナベース１０に螺合し、本アンテナ装置を車両のルーフ等に固定する。アンテナベース１０の下面には、エラストマーやゴム等の環状の弾性部材からなるシール部材１５が設けられる。シール部材１５は、アンテナベース１０と車体との間を水密封止する。
【００２６】
本参考例のアンテナ装置の組立の流れを説明する。まず、インナーケース６の第１の機能追加用開口部６ｄに、防水パッキン５を挟んで防水蓋４を取り付ける。このとき、防水蓋４の一対のスナップフィット４ａを、第１の機能追加用開口部６ｄの両側に設けられた一対の係止穴６ｅに係合させる。また、インナーケース６の第２の機能追加用開口部６ｈに防水栓７を取り付ける。また、インナーケース６の容量エレメント支持部６ａ上に容量エレメント３を配置して容量エレメント３の係止穴３ｂとインナーケース６の係止凸部６ｂとを係合させ、ネジ３ｄをネジ止め用貫通孔３ｃを介して導体パイプ６ｃに上方から螺合させることにより容量エレメント３をインナーケース６に固定する。また、ネジ１３ｃを導体パイプ６ｃに下方から螺合させることにより、コイルエレメント１３のアッパーターミナル１３ａをインナーケース６に固定する。以上の手順は、どのような順序で行っても構わない。
【００２７】
一方、アンテナベース１０には、アンテナ基板９をネジ止め等により固定すると共に、防水パッド８を配置しておく。そして、コイルエレメント１３のロアターミナル１３ｂがアンテナ基板９の一対の導体板バネ９ａに挟まれるようにインナーケース６をアンテナベース１０上にセットし、インナーケース６をアンテナベース１０にネジ止め等により固定する。このとき、インナーケース６の下端部が防水パッド８を全周に渡って押圧する。最後に、隙間埋めパッド２を嵌入した外装ケース１をアンテナベース１０に装着する。このとき、外装ケース１の係止爪１ａとアンテナベース１０の係止爪１０ａを互いに係合させる。こうして組み立てられたアンテナ装置は、図５に示す車体取付用ネジ１１とワッシャー１２により、シール部材１５を挟んで車両のルーフ等に取り付けられる。
【００２８】
本参考例によれば、下記の効果を奏することができる。
【００２９】
(1) インナーケース６とアンテナベース１０との間に水密空間を形成してアンテナ基板９を配置するため、外装ケース１は防水構造に拘束されない自由なデザインが可能となる。そのため、デザインの変更をする場合には、外装ケース１のみ設計を変更して他の部品は共通にすることができ、デザイン変更に要する手間とコストを削減できる。
【００３０】
(2) インナーケース６に第１の機能追加用開口部６ｄを設け、防水蓋４に替えて発光モジュール等の付加ユニットを取付可能としているため、インナーケース６及びアンテナベース１０の設計を変えずに付加ユニットの有無を変更できる。すなわち、付加ユニット（追加機能）の有無を変更してもインナーケース６及びアンテナベース１０は共通でよく全体に渡る設計変更が不要なため、付加ユニットの有無が異なる製品を展開する場合の設計の手間とコストを削減できる。なお、付加ユニットの有無によってインナーケース６又はアンテナベース１０若干の設計変更が入る場合もあり得るが、大部分は共通でよいため、そうした場合も設計の手間とコストを削減できる。
【００３１】
(3) インナーケース６に第２の機能追加用開口部６ｈを設け、第２の機能追加用開口部６ｈを水密に塞ぐ防水栓７にカメラモジュール等の付加ユニットのケーブルを通せるようにしているため、第１の機能追加用開口部６ｄを設けたことと同様に設計の手間とコストを削減できる。
【００３２】
実施の形態１
図９は、本発明の実施の形態１に係るアンテナ装置の第１の分解斜視図である。図１０は、前記アンテナ装置の第２の分解斜視図である。図９及び図１０において隙間埋めパッド２の図示を省略している。図１１は、前記アンテナ装置における、発光モジュール１８及び防水パッキン５の分解斜視図である。図１２は、発光モジュール１８及び防水パッキン５の組合せ体の、導光体１９及び防水パッキン５を半分に切断した状態の斜視図である。図１３は、前記アンテナ装置の側断面図である。図１４は、導光体１９を通る光の伝搬説明図である。
【００３３】
本実施の形態のアンテナ装置は、図１等に示した参考例１のものと比較して、外装ケース１が光遮断体１６及び光透過体１７を組み合わせた外装ケース１Ａに替わり、防水蓋４が付加ユニットとしての発光モジュール１８に替わった点で相違し、その他の点で一致する。容量エレメント３、インナーケース６、防水パッド８、アンテナ基板９、アンテナベース１０、及びコイルエレメント１３（以下「インナーケース組」とも表記）の構成、並びにそれらの組立は参考例１と共通であり、ここでは説明を省略する。また、防水栓７は、参考例１と同構成であり同様にインナーケース６の第２の機能追加用開口部６ｈに取り付けられる。
【００３４】
外装ケース１Ａの光遮断体１６は天面部に開口部１６ａを有し、光透過部としての光透過体１７が開口部１６ａに嵌合ないし接着等により取り付け固定される。光遮断体１６及び光透過体１７は、電波透過性の合成樹脂製（ＰＣやＰＥＴ等の樹脂製の成型品）であり、相互に組み合わされた状態で両側面が内側に湾曲したシャークフィン形状を成す。光遮断体１６が光を透過しないのに対し、光透過体１７は光を透過する。容量エレメント３の面状部３ａの少なくとも一部が光透過体１７と対向する。面状部３ａの少なくとも光透過体１７と対向する部分（面）は、好ましくは研磨やメッキ（例えばクロムメッキ）等により光沢処理されて光沢度を高めている。光遮断体１６は、参考例１の外装ケース１と同様に、隙間埋めパッド２（図１）を嵌入した状態でアンテナベース１０に係止爪同士の係合により取り付けられる（係止される）。
【００３５】
発光モジュール１８は、導光部としての導光体１９及び発光ユニット２０を組み合わせたものである。導光体１９は、高屈折率かつ電波透過性の合成樹脂製（ＰＣ等の樹脂製の成型品）であり、取付ベース部１９ａと、導光路形成部１９ｂとを含む。取付ベース部１９ａは、インナーケース６の第１の機能追加用開口部６ｄへの取付構造に関して図１に示す防水蓋４と同様の構成を有する。取付ベース部１９ａと第１の機能追加用開口部６ｄとの間は、防水パッキン５によって水密封止される。取付ベース部１９ａは、容量エレメント３の前方に設けられる第１の機能追加開口部６ｄに取り付けられ、機能追加開口部６ｂから立設して容量エレメント３の前方且つ近傍まで延びる。導光路形成部１９ｂは、取付ベース部１９ａの上端から、容量エレメント３の面状部３ａに沿うように、光透過体１７の内側、すなわち面状部３ａと光透過体１７との相互対向面間に延びる。導光路形成部１９ｂの容量エレメント３側の面には、所定数のＶ字状の溝（乱反射用パターン）１９ｃが設けられる。溝１９ｃは、ＬＥＤ２０ａから離れるほど（後端側に向かうほど）隣接する溝の間隔が高密度に設けられる。
【００３６】
発光ユニット２０は、発光素子としてのＬＥＤ２０ａと、給電端子部２０ｂ（図１１及び図１２）と、ＬＥＤ２０ａ及び給電端子部２０ｂを支持する支持体２０ｃとを含む。支持体２０ｃは、電波透過性の合成樹脂製（ＰＣやＰＥＴ等の樹脂製の成型品）であり、圧入等により導光体１９に取り付け固定される。支持体２０ｃは、ＬＥＤ２０ａを駆動するための定電流回路や静電耐圧を持たせるための回路を内蔵する。ＬＥＤ２０ａは、支持体２０ｃの上端部に支持されて容量エレメント３の前方且つ近傍（側方）に位置し、後方斜め上方向の導光路形成部１９ｂの延設方向に光を照射する。ＬＥＤ２０ａは、アンテナ性能が悪化しないように、容量エレメント３のＬＥＤ２０ａに最も近い下端の高さと同一か、または、若干低い位置に配置される。給電端子部２０ｂは、支持体２０ｃの下端部に支持され、アンテナ基板９の追加機能用電極９ｂ（図１、図２及び図１３）に接触して電気的に接続される。
【００３７】
図１４に示すように、ＬＥＤ２０ａの発した光は、全反射を繰り返しながら導光路形成部１９ｂ内を伝搬し、導光路形成部１９ｂの容量エレメント３側の面に設けられた溝１９ｃによって反射されると、導光路形成部１９ｂの光透過体１７側の面に全反射の角度を超える急角度で入射し、光透過体１７側に飛び出す。このため、導光路形成部１９ｂの表面は発光して見えることになる。溝１９ｃは、ＬＥＤ２０ａから離れるほど（後端部に向かうほど）隣接する溝の間隔が高密度に設けられており、これによって、ＬＥＤ２０ａから離れて照度が低くなる部分における反射率を高めている。また、導光路形成部１９ｂから容量エレメント３側に飛び出した光は、容量エレメント３によって反射されて導光路形成部１９ｂに戻り、最終的には光透過体１７側に飛び出すため、導光路形成部１９ｂを効率的に明るくすることができる。
【００３８】
本実施の形態によれば、下記の効果を奏することができる。
【００３９】
(1) ＬＥＤ２０ａが発した光を導光体１９によって光透過体１７に導く構成であり、導光体１９を挟んで光透過体１７の反対側には金属製の容量エレメント３の面状部３ａが位置して反射体として機能するため、従来と比較して高効率での発光が可能なアンテナ装置となる。
【００４０】
(2) 容量エレメント３の面状部３ａを反射体として機能させるため、別途金属製の反射体を配置する場合と異なり、発光効率改善のためにアンテナ性能が悪化するリスクが低い。
【００４１】
(3) 容量エレメント３を外装ケース内の上部に配置し、ＬＥＤ２０ａを容量エレメント３の側方に配置しているため、ＬＥＤ２０ａを配置したことによるアンテナ性能の悪化を抑制しながらアンテナ装置の上部を効率的に明るくすることができる。
【００４２】
(4) 発光機能を有さない参考例１のアンテナ装置と共通のインナーケース組を用いて発光機能を有するアンテナ装置を実現できる。
【００４３】
実施の形態２
図１５は、本発明の実施の形態２に係るアンテナ装置の第１の分解斜視図である。図１６は、前記アンテナ装置の第２の分解斜視図である。図１５及び図１６において隙間埋めパッド２の図示を省略している。図１７は、前記アンテナ装置の発光モジュール２５の底断面図である。図１８は、前記アンテナ装置における、導光体２６を通る光の伝搬説明図である。
【００４４】
本実施の形態のアンテナ装置は、図１等に示した参考例１のものと比較して、外装ケース１が光遮断体２３及び一対の光透過体２４を組み合わせた外装ケース１Ｂに替わり、防水蓋４が付加ユニットとしての発光モジュール２５に替わった点で相違し、その他の点で一致する。インナーケース組の構成及びそれらの組立は参考例１と共通であり、ここでは説明を省略する。また、防水栓７は、参考例１と同構成であり同様にインナーケース６の第２の機能追加用開口部６ｈに取り付けられる。実施の形態１では外装ケースの天面部を発光させたのに対し、本実施の形態では外装ケースの両側面の一部をそれぞれ発光させる。
【００４５】
外装ケース１Ｂの光遮断体２３は、両側面部にそれぞれ開口部２３ａを有し（図には片方の開口部２３ａのみ現れる）、光透過部としての光透過体２４が開口部２３ａに嵌合ないし接着等により取り付け固定される。光遮断体２３及び光透過体２４は、電波透過性の合成樹脂製（ＰＣやＰＥＴ等の樹脂製の成型品）であり、相互に組み合わされた状態で両側面が内側に湾曲したシャークフィン形状を成す。光遮断体２３が光を透過しないのに対し、光透過体２４は光を透過する。光遮断体２３は、参考例１の外装ケース１と同様に、隙間埋めパッド２（図１）を嵌入した状態でアンテナベース１０に係止爪同士の係合により取り付けられる（係止される）。
【００４６】
発光モジュール２５は、導光部としての導光体２６及び発光ユニット２７を組み合わせたものである。導光体２６は、高屈折率かつ電波透過性の合成樹脂製（ＰＣ等の樹脂製の成型品）であり、取付ベース部２６ａと、一対の導光路形成部２６ｂとを含む。取付ベース部２６ａは、インナーケース６の第１の機能追加用開口部６ｄへの取付構造に関して図１に示す防水蓋４と同様の構成を有する。取付ベース部２６ａと第１の機能追加用開口部６ｄとの間は、防水パッキン５によって水密封止される。取付ベース部２６ａは、容量エレメント３の前方に設けられる第１の機能追加開口部６ｄに取り付けられ、機能追加開口部６ｂから立設して容量エレメント３の前方且つ近傍まで延びる。一対の導光路形成部２６ｂは、取付ベース部２６ａの上部左右からそれぞれ、容量エレメント３の面状部３ａ及びインナーケース６の両側面に沿うように、光透過体２４の内側、すなわち面状部３ａと光透過体２４との相互対向面間にそれぞれ延びる。
【００４７】
発光ユニット２７は、発光素子としてのＬＥＤ２７ａと、不図示の給電端子部（図１１及び図１２の給電端子部２０ｂと同様）と、ＬＥＤ２７ａ及び前記給電端子部を支持する支持体２７ｃとを含む。支持体２７ｃは、電波透過性の合成樹脂製（ＰＣやＰＥＴ等の樹脂製の成型品）であり、圧入等により導光体２６に取り付け固定される。ＬＥＤ２７ａは、支持体２７ｃの上端部に支持されて容量エレメント３の前方且つ近傍（側方）に位置し、後方斜め外方向の導光路形成部２６ｂの延設方向に光を照射する。前記給電端子部は、支持体２７ｃの下端部に支持され、アンテナ基板９の追加機能用電極９ｂ（図１及び図２）に接触して電気的に接続される。
【００４８】
図１８に示すように、ＬＥＤ２７ａの発した光は、全反射を繰り返しながら導光路形成部２６ｂ内を伝搬し、伝搬の過程で実施の形態１と同様に順次光透過体２４側に飛び出す。このため、導光路形成部２６ｂの表面は発光して見えることになる。本実施の形態も、実施の形態１と同様の効果を奏することができる。
【００４９】
参考例２
図１９は、本発明の参考例２に係るアンテナ装置の第１の分解斜視図である。図２０は、図１９とは異なる方向から見た前記アンテナ装置の第１の分解斜視図である。図２１は、前記アンテナ装置の第２の分解斜視図である。図２２は、図２１とは異なる方向から見た前記アンテナ装置の第２の分解斜視図である。図２３は、前記アンテナ装置の側断面図である。
【００５０】
本参考例のアンテナ装置は、図１等に示した参考例１のものと比較して、外装ケース１が外装ケース２８に替わり、インナーケース６に背面部６ｋが追加され、付加ユニットとしてのカメラモジュール２９及びそれを取り付けるためのブラケット３０が追加され、カメラモジュール２９のケーブル２９ｃが防水栓７を貫通している点で相違し、その他の点で一致する。インナーケース組の構成及びそれらの組立は、インナーケース６に背面部６ｋが追加された以外は参考例１と共通であり、ここでは説明を省略する。また、防水蓋４は、参考例１と同構成であり同様にインナーケース６の第１の機能追加用開口部６ｄに取り付けられる。
【００５１】
外装ケース２８は、背面部に切欠２８ａを有する他は、参考例１の外装ケース１と同様である。インナーケース６の背面部６ｋには、一対のネジ穴６ｍが設けられる。ブラケット３０は、ブラケット３０を貫通してネジ穴６ｍに螺合する一対のネジ３０ａによってインナーケース６に取り付け固定される。カメラモジュール２９は、ドライブレコードやバックビューモニタ、バックミラーの替わり等として利用できる。カメラモジュール２９は、ブラケット３０の支持によりインナーケース６に対して固定される。カメラモジュール２９は、撮影用レンズ２９ａ及びそれを支持するハウジング２９ｂ、並びにハウジング２９ｂから引き出されたケーブル２９ｃを含む。ケーブル２９ｃは、防水栓７の薄肉部７ｂ（図７）を突き破って第２の機能追加用開口部６ｈに取り付けられた防水栓７を貫通し、インナーケース６の外側から内側に延び、アンテナ基板９に接続されたケーブル１４と共にアンテナベース１０の開口を通ってアンテナベース１０の下方に引き出される。なお、組立時には、ケーブル２９ｃが貫通した防水栓７の把手部７ｃをインナーケース６の内側から引っ張ることで防水栓７を第２の機能追加用開口部６ｈに取り付ければよい。
【００５２】
本参考例によれば、インナーケース６に背面部６ｋを追加したことを除けば、カメラ機能を有さない参考例１のアンテナ装置と共通のインナーケース組を用いて発光機能を有するアンテナ装置を実現できる。なお、カメラ機能の有無によらずインナーケース６に背面部６ｋを設けておくことで、カメラ機能の有無によらずインナーケース６を同一にしてもよい。また、本参考例において、実施の形態１又は２と同様に発光モジュールを追加してもよい（第１の機能追加用開口部６ｄに付加ユニットを取り付けてもよい）。
【００５３】
以上、実施の形態を例に本発明を説明したが、実施の形態の各構成要素や各処理プロセスには請求項に記載の範囲で種々の変形が可能であることは当業者に理解されるところである。以下、変形例について触れる。
【００５４】
アンテナ装置は、発光モジュールを防水蓋４に替えてインナーケース６の第１の機能追加用開口部６ｄに取付け可能な構成に限定されず、発光モジュールを例えば外装ケース内でインナーケース６とは別のホルダにより支持してもよい。また、アンテナ装置は、デザイン機能を担う外装ケースと防水機能を担うインナーケースとを分けた構成に限定されず、外装ケースが防水とデザインの機能を持つ構成であってもよい。
【００５５】
実施の形態１及び２において、外装ケース全体が光を透過する構成であってもよい。機能追加用開口部の数は１つ又は３つ以上であってもよい。第２の機能追加用開口部６ｈに取り付ける防水栓７は、参考例１及び参考例２で相互に異なる形状としてもよい（第２の機能追加用開口部６ｈに付加ユニットのケーブルを通すか否かによって異なる形状としてもよい）。
【符号の説明】
【００５６】
１,１Ａ,１Ｂ  外装ケース、１ａ  係止爪、２  隙間埋めパッド、３  容量エレメント、３ａ  面状部、３ｂ  係止穴、３ｃ  ネジ止め用貫通穴、３ｄ  ネジ、４  防水蓋、４ａ  スナップフィット、４ｂ,４ｃ  ガイド用凹部、５  防水パッキン（第２の水密封止材）、６  インナーケース、６ａ  容量エレメント支持部、６ｂ  係止凸部、６ｃ  導体パイプ（金属パイプ）、６ｄ  第１の機能追加用開口部、６ｅ  係止穴、６ｆ,６ｇ  ガイド凸部、６ｈ  第２の機能追加用開口部、６ｉ  防水パッキン、６ｊ  段差部、６ｋ  背面部、６ｍ  ネジ穴、７  防水栓（防水グロメット）、７ａ  凹部、７ｂ  薄肉部、８  防水パッド（第１の水密封止材）、９  アンテナ基板、９ａ  導体板バネ（ターミナル）、９ｂ  追加機能用電極、１０  アンテナベース、１０ａ  係止爪、１１  車体取付用ネジ、１２  ワッシャー、１３  コイルエレメント、１３ａ  アッパーターミナル、１３ｂ  ロアターミナル、１３ｃ  ネジ、１４  ケーブル、１５  シール部材、１６  光遮断体、１６ａ  開口部、１７  光透過体、１８  発光モジュール、１９  導光体、１９ａ  取付ベース部、１９ｂ  導光路形成部、１９ｃ  溝（乱反射用パターン）、２０  発光ユニット、２０ａ  ＬＥＤ（発光素子）、２０ｂ  給電端子部、２０ｃ  支持体、２３  光遮断体、２３ａ  開口部、２４  光透過体、２５  発光モジュール、２６  導光体、２６ａ  取付ベース部、２６ｂ  導光路形成部、２７  発光ユニット、２７ａ  ＬＥＤ（発光素子）、２７ｃ  支持体、２８  外装ケース、２８ａ  切欠、２９  カメラモジュール、２９ａ  撮影用レンズ、２９ｂ  ハウジング、２９ｃ  ケーブル、３０  ブラケット、３０ａ  ネジ
【図１】
0006511258.tif 000002
【図２】
0006511258.tif 000003
【図３】
0006511258.tif 000004
【図４】
0006511258.tif 000005
【図５】
0006511258.tif 000006
【図６】
0006511258.tif 000007
【図７】
0006511258.tif 000008
【図８】
0006511258.tif 000009
【図９】
0006511258.tif 000010
【図１０】
0006511258.tif 000011
【図１１】
0006511258.tif 000012
【図１２】
0006511258.tif 000013
【図１３】
0006511258.tif 000014
【図１４】
0006511258.tif 000015
【図１５】
0006511258.tif 000016
【図１６】
0006511258.tif 000017
【図１７】
0006511258.tif 000018
【図１８】
0006511258.tif 000019
【図１９】
0006511258.tif 000020
【図２０】
0006511258.tif 000021
【図２１】
0006511258.tif 000022
【図２２】
0006511258.tif 000023
【図２３】
0006511258.tif 000024